(57)【特許請求の範囲】
【請求項１】
食器類を収納する洗浄槽と、前記食器類を乾燥する加熱手段と、前記洗浄槽内の温度を検知する温度検知手段と、前記食類類の洗浄、すすぎ、乾燥行程の一連の逐次動作を制御する制御手段とを備え、前記制御手段は、乾燥行程開始後において、前記温度検知手段による乾燥行程開始時の温度が所定値未満であり、かつ、その乾燥行程が、洗浄、すすぎ、乾燥行程の一連の逐次動作中の乾燥行程であるか否かの第１の判定を行い、その第１の判定結果が前記一連の逐次動作中の乾燥行程ではない場合は、さらに、乾燥行程開始時と開始後所定時間経過時における前記温度検知手段による洗浄槽内の温度の変化量がある一定値に達するか否かの第２の判定を行い、その第２の判定結果が、乾燥行程開始時と開始後所定時間経過時における前記温度検知手段による洗浄槽内の温度の変化量が前記ある一定値未満である場合、前記温度検知手段の異常と判断して前記加熱手段の発熱量を減らすようにし、前記温度検知手段による乾燥行程開始時の温度が前記所定値以上であるか、または、前記第１の判定結果が前記一連の逐次動作中の乾燥行程である場合には、前記第２の判定を行わずに通常の乾燥運転を行うようにした食器洗い機。
【請求項２】
制御手段は、第２の判定結果が乾燥行程開始時と開始後所定時間経過時における温度検知手段による洗浄槽内の温度の変化量がある一定値未満である場合、乾燥時間を延長するようにした請求項１記載の食器洗い機。
【請求項３】
ブザーなどの音を発する報知手段と、発光ダイオード等を有する表示手段を備え、制御手段は、第２の判定結果が乾燥行程開始時と開始後所定時間経過時における温度検知手段による洗浄槽内の温度の変化量が一定値未満である場合、乾燥行程終了後、前記報知手段あるいは前記表示手段にて異常を報知するようにした請求項１または２記載の食器洗い機。
【請求項４】
入力操作する入力手段を備え、制御手段は、前記入力手段により特殊デモを指示された場合は、第２の判定結果が乾燥行程開始時と開始後所定時間経過時における温度検知手段による洗浄槽内の温度の変化量が一定値未満である場合、即座に報知手段あるいは表示手段にて異常を報知するようにした請求項１〜３のいずれか１項に記載の食器洗い機。
【請求項５】
洗浄槽内の蒸気を送り出す送風手段を備え、制御手段は、乾燥行程にて温度検知手段による洗浄槽内の温度がある一定値以上になった時に送風手段にて蒸気を送り出し始め、第２の判定結果が乾燥行程開始時と開始後所定時間経過時における前記温度検知手段による洗浄槽内の温度の変化量が一定値未満である場合は、第２の所定時間経過時に強制的に蒸気を送り出し始めるようにした請求項１〜４のいずれか１項に記載の食器洗い機。
【請求項６】
食器類を収納する洗浄槽と、前記食器類を乾燥する加熱手段と、前記洗浄槽内の温度を検知する温度検知手段と、前記食類類の洗浄、すすぎ、乾燥行程の一連の逐次動作を制御する制御手段と、ブザーなどの音を発する報知手段と、発光ダイオード等を有する表示手段とを備え、前記制御手段は、乾燥行程開始後において、前記温度検知手段による乾燥行程開始時の温度が所定値未満であり、かつ、その乾燥行程が、洗浄、すすぎ、乾燥行程の一連の逐次動作中の乾燥行程であるか否かの第１の判定を行い、その第１の判定結果が前記一連の逐次動作中の乾燥行程ではない場合は、さらに、乾燥行程開始時と開始後所定時間経過時における前記温度検知手段による洗浄槽内の温度の変化量がある一定値に達するか否かの第２の判定を行い、その第２の判定結果が乾燥行程開始時と開始後所定時間経過時における前記温度検知手段による洗浄槽内の温度の変化量が前記ある一定値未満である場合、前記温度検知手段の異常と判断して動作を停止して即座に前記報知手段あるいは前記表示手段にて異常を報知するようにし、前記温度検知手段による乾燥行程開始時の温度が前記所定値以上であるか、または、前記第１の判定結果が前記一連の逐次動作中の乾燥行程である場合には、前記第２の判定を行わずに通常の乾燥運転を行うようにした食器洗い機。
【請求項７】
記憶手段を備え、制御手段は、第２の判定結果が乾燥行程開始時と開始後所定時間経過時における温度検知手段による洗浄槽内の温度の変化量が一定値未満である場合、異常が起こったことを前記記憶手段に記憶させ、特殊デモを指示された場合に異常の履歴としてこれを報知するようにした請求項１〜６のいずれか１項に記載の食器洗い機。
【請求項８】
制御手段は、温度検知手段による乾燥行程開始時の温度によって、乾燥行程開始時と開始後所定時間経過時の温度変化量との比較値を複数段階に設定するようにした請求項１〜７のいずれか１項に記載の食器洗い機。
【発明の詳細な説明】
【０００１】
【発明の属する技術分野】
本発明は、洗浄槽に収納した食器類に洗浄水を噴射して食器類を洗浄、乾燥する食器洗い機に関する。
【０００２】
【従来の技術】
近年、洗浄槽内に入れられた食器容量を簡易的に判断して、これに応じて運転時間をよりきめ細かく制御しようとする食器洗い機が提案されている。
【０００３】
従来、この種の食器洗い機は、洗浄後の乾燥行程、または乾燥運転のみの乾燥行程の乾燥時間を洗浄槽の下部に取り付けられたサーミスタ（温度検知手段）で検知した運転開始時の雰囲気温度によって決定していた。また、同じサーミスタで検知される洗浄槽内の温度によって加熱するヒータの発熱量、蒸気を送り出すファンを動作させるタイミングを決定していた。
【０００４】
【発明が解決しようとする課題】
このような従来の食器洗い機では、サーミスタ（温度検知手段）で検知した温度がある一定値を越えると、洗浄槽内を加熱するヒータの発熱量を減らしたり、洗浄槽内の蒸気を送り出すファンを動作させるようになっていた。
【０００５】
しかし、洗浄槽の下部に密着して取り付けられているはずのサーミスタが取り付け場所から外れている場合、洗浄槽の温度を検知せず、あまり温度が上がらない周囲の雰囲気温度を検知していることになる。検知している温度が上がらないため、ヒータは加熱を続け、ファンは動作しないので蒸気が溜まったままになり、食器類の温度が上がりすぎたり、食器類が乾かなかったりする。
【０００６】
ここで、洗浄、すすぎ行程では、所定時間運転してもサーミスタがある一定値を検知しないと、所定時間後に異常報知して、サーミスタ外れを検知していた。しかし、乾燥行程のみを運転する場合は検知することができなかった。
【０００７】
本発明は上記課題を解決するもので、乾燥行程で、温度検知手段が取り付け場所から外れている場合に、食器類の温度を上げないようにして乾燥できるようにすることを目的としている。
【０００８】
【課題を解決するための手段】
本発明は上記目的を達成するために、洗浄槽内に収納した食器類を加熱手段により乾燥するとともに、洗浄槽内の温度を温度検知手段により検知し、洗浄、すすぎ、乾燥行程の一連の逐次動作を制御手段により制御するよう構成し、制御手段は、乾燥行程開始後において、温度検知手段による乾燥行程開始時の温度が所定値未満であり、かつ、その乾燥行程が、洗浄、すすぎ、乾燥行程の一連の逐次動作中の乾燥行程であるか否かの第１の判定を行い、その第１の判定結果が一連の逐次動作中の乾燥行程ではない場合は、さらに、乾燥行程開始時と開始後所定時間経過時における温度検知手段による洗浄槽内の温度の変化量がある一定値に達するか否かの第２の判定を行い、その第２の判定結果が、乾燥行程開始時と開始後所定時間経過時における温度検知手段による洗浄槽内の温度の変化量がある一定値に達しない場合、温度検知手段の異常と判断して加熱手段の発熱量を減らすようにし、温度検知手段による乾燥行程開始時の温度が所定値以上であるか、または、第１の判定結果が一連の逐次動作中の乾燥行程である場合には、第２の判定を行わずに通常の乾燥運転を行うようにしたものである。
【０００９】
これにより、温度検知手段が取り付け位置より外れている場合に、食器類の温度を上げずに乾燥することができる。
【００１０】
【発明の実施の形態】
本発明の請求項１に記載の発明は、食器類を収納する洗浄槽と、前記食器類を乾燥する加熱手段と、前記洗浄槽内の温度を検知する温度検知手段と、前記食類類の洗浄、すすぎ、乾燥行程の一連の逐次動作を制御する制御手段とを備え、前記制御手段は、乾燥行程開始後において、前記温度検知手段による乾燥行程開始時の温度が所定値未満であり、かつ、その乾燥行程が、洗浄、すすぎ、乾燥行程の一連の逐次動作中の乾燥行程であるか否かの第１の判定を行い、その第１の判定結果が前記一連の逐次動作中の乾燥行程ではない場合は、さらに、乾燥行程開始時と開始後所定時間経過時における前記温度検知手段による洗浄槽内の温度の変化量がある一定値に達するか否かの第２の判定を行い、その第２の判定結果が、乾燥行程開始時と開始後所定時間経過時における前記温度検知手段による洗浄槽内の温度の変化量が前記ある一定値に達しない場合、前記温度検知手段の異常と判断して前記加熱手段の発熱量を減らすようにし、前記温度検知手段による乾燥行程開始時の温度が前記所定値以上であるか、または、前記第１の判定結果が前記一連の逐次動作中の乾燥行程である場合には、前記第２の判定を行わずに通常の乾燥運転を行うようにしたものであり、温度検知手段が取り付け位置より外れている場合でも、食器類の温度を上げずに乾燥することができるとともに、乾燥行程開始時から温度が高い場合にも、数分たっても温度の変化量が少ないとして、サーミスタが外れていると誤検知しないようにすることができる。
【００１１】
請求項２に記載の発明は、上記請求項１に記載の発明において、制御手段は、第２の判定結果が乾燥行程開始時と開始後所定時間経過時における温度検知手段による洗浄槽内の温度の変化量がある一定値未満である場合、乾燥時間を延長するようにしたものであり、加熱手段の発熱量を通常より減らした場合でも、乾燥時間を延長することで完全に乾かすことができる。
【００１２】
請求項３に記載の発明は、請求項１または２に記載の発明において、ブザーなどの音を発する報知手段と、発光ダイオード等を有する表示手段を備え、制御手段は、第２の判定結果が乾燥行程開始時と開始後所定時間経過時における温度検知手段による洗浄槽内の温度の変化量が一定値未満である場合、乾燥行程終了後、前記報知手段あるいは前記表示手段にて異常を報知するようにしたものであり、食器類を乾かした後、異常報知により温度検知手段が外れていることを知らせることができる。
【００１３】
請求項４に記載の発明は、請求項１〜３に記載の発明において、入力操作する入力手段を備え、制御手段は、前記入力手段により特殊デモを指示された場合は、第２の判定結果が乾燥行程開始時と開始後所定時間経過時における温度検知手段による洗浄槽内の温度の変化量が一定値未満である場合、即座に報知手段あるいは表示手段にて異常を報知するようにしたものであり、工場または市場で温度検知手段が取り付け位置にあるかどうかをすぐにチェックすることができる。
【００１４】
請求項５に記載の発明は、請求項１〜４に記載の発明において、洗浄槽内の蒸気を送り出す送風手段を備え、制御手段は、乾燥行程にて温度検知手段による洗浄槽内の温度がある一定値以上になった時に送風手段にて蒸気を送り出し始め、第２の判定結果が乾燥行程開始時と開始後所定時間経過時における前記温度検知手段による洗浄槽内の温度の変化量が一定値未満である場合は、第２の所定時間経過時に強制的に蒸気を送り出し始めるようにしたものであり、温度検知手段が取り付け位置より外れている場合でも、蒸気を逃がして完全に乾かすことができる。
【００１５】
請求項６に記載の発明は、食器類を収納する洗浄槽と、前記食器類を乾燥する加熱手段と、前記洗浄槽内の温度を検知する温度検知手段と、前記食類類の洗浄、すすぎ、乾燥行程の一連の逐次動作を制御する制御手段と、ブザーなどの音を発する報知手段と、発光ダイオード等を有する表示手段とを備え、前記制御手段は、乾燥行程開始後において、前記温度検知手段による乾燥行程開始時の温度が所定値未満であり、かつ、その乾燥行程が、洗浄、すすぎ、乾燥行程の一連の逐次動作中の乾燥行程であるか否かの第１の判定を行い、その第１の判定結果が前記一連の逐次動作中の乾燥行程ではない場合は、さらに、乾燥行程開始時と開始後所定時間経過時における前記温度検知手段による洗浄槽内の温度の変化量がある一定値に達するか否かの第２の判定を行い、その第２の判定結果が乾燥行程開始時と開始後所定時間経過時における前記温度検知手段による洗浄槽内の温度の変化量が前記ある一定値未満である場合、前記温度検知手段の異常と判断して動作を停止して即座に前記報知手段あるいは前記表示手段にて異常を報知するようにし、前記温度検知手段による乾燥行程開始時の温度が前記所定値以上であるか、または、前記第１の判定結果が前記一連の逐次動作中の乾燥行程である場合には、前記第２の判定を行わずに通常の乾燥運転を行うようにしたものであり、温度検知手段が外れていることを知らすことができるとともに、乾燥行程開始時から温度が高い場合にも、数分たっても温度の変化量が少ないとして、サーミスタが外れていると誤検知しないようにすることができる。
【００１６】
請求項７に記載の発明は、請求項１〜６に記載の発明において、記憶手段を備え、制御手段は、第２の判定結果が乾燥行程開始時と開始後所定時間経過時における温度検知手段による洗浄槽内の温度の変化量が一定値未満である場合、異常が起こったことを前記記憶手段に記憶させ、特殊デモを指示された場合に異常の履歴としてこれを報知するようにしたものであり、市場でいかなる異常が起こったか確認することができる。
【００１７】
請求項８に記載の発明は、請求項１〜７に記載の発明において、制御手段は、温度検知手段による乾燥行程開始時の温度によって、乾燥行程開始時と開始後所定時間経過時の温度変化量との比較値を複数段階に設定するようにしたものであり、制御手段の温度読みとり値の変化量と実際の気温変化量の関係をリニアに近づけることができ、運転開始時の温度に関わらず、実際の気温変化量の比較値をほぼ一定に設定することができる。
【００１８】
【実施例】
以下、本発明の実施例について、図面を参照しながら説明する。
【００１９】
（実施例１）
図２に示すように、洗浄槽１は、食器類２を内部に収納するとともに、給水弁３から洗浄水を供給し、底部に溜めている。洗浄ノズル４は、洗浄槽１内に回転自在に支持され、食器類２に向けて洗浄水を噴出する。洗浄ポンプ５は洗浄水を洗浄ノズル４に送り込むものである。水位センサ６は、洗浄槽１内の水位を検知し、電気信号として出力する。
【００２０】
ヒータ（加熱手段）７は、洗浄槽１の底部に配設され、洗浄水を加熱する。サーミスタ（温度検知手段）８は、洗浄槽１の底部に外側より密着するように取り付け、洗浄水の水温や洗浄槽１の温度を熱伝導により検知する。図３は、洗浄槽１の底部にサーミスタ８を取り付けている断面図である。２個の取付部材８ａ、８ｂで挟持して取り付けているが、取り付け不完全などによって取り付け部材８ａ、８ｂから外れることがある。
【００２１】
排水ポンプ９は洗浄槽１内の洗浄水を排出するものである。送風ファン１０は、洗浄槽１内の蒸気を送り出すもので、排気口１１より機外へ排出される。食器かご１２は、食器類２を配置するものである。ドア１３は洗浄槽１の内部に収納した食器類２の出し入れの際に開閉するものであり、このドア１３が開いているか、閉じているかをドア開閉検知手段１４により検知する。
【００２２】
制御装置１５は、給水弁３、洗浄ポンプ５、ヒータ７、排水ポンプ９、送風ファン１０など制御して洗浄、すすぎ、乾燥の各行程を逐次制御するもので、図１に示すように構成している。
【００２３】
入力手段１６は、図４に示すように、電源を入り切りする電源スイッチ１６ａ、運転開始および一時停止を行うスタートスイッチ１６ｂ、コースを設定するコーススイッチ１６ｃなどで構成している。コーススイッチ１６ｃを押すことにより、乾燥行程のみの運転も選択することができる。
【００２４】
制御手段１７は、マイクロコンピュータで構成し、入力手段１６により設定された入力に応じて負荷制御手段１８を介して、給水弁３、洗浄ポンプ５、ヒータ７、排水ポンプ９、送風ファン１０などの負荷と、表示手段１９や報知手段２０を予め定められたシーケンスに沿って制御し、食類類２の洗浄、すすぎ、乾燥行程の一連の逐次動作を制御する。
【００２５】
また、制御手段１７は、乾燥行程開始時と開始後所定時間経過時におけるサーミスタ８による洗浄槽１内の温度の変化量がある一定値未満である場合、ヒータ７の発熱量を減らし、乾燥時間を延長するとともに、乾燥行程終了後、報知手段２０あるいは表示手段１９にて異常を報知するようにしている。
【００２６】
表示手段１９は発光ダイオードで構成しており、図４に示すように、コース内容を表示するコース表示部１９ａ、異常内容を表示する異常内容表示部１９ｂ、運転状態を表示する運転表示部１９ｃなどで構成している。また、報知手段２０は圧電ブザーによって構成している。また、電源回路２１は、制御手段１７などの電源を生成するものである。不揮発性記憶手段２２は、制御手段１７により最近の異常内容を記憶している。
【００２７】
上記構成において図５を参照しながら動作を説明すると、ステップ２３にて乾燥行程を開始し、ステップ２４にて、このときのサーミスタ８の温度をｔｈ１とし、ｔｈ１にて乾燥行程運転時間Ｔを決定する。ステップ２５に進み、ヒータ７をオンし洗浄槽１の加熱を開始する。ステップ２６にて、第１の所定時間（所定時間）が経過すると、ステップ２７にて、ｔｈ１がある一定値ＴＨ１（たとえば４５℃）より高い場合は、運転直後に再度運転された場合であり、運転後の温度上昇度合いが少ないので、サーミスタ８による洗浄槽１内の温度の変化量が一定値未満であるかの検知をせず、ステップ２８にて通常の運転をする。
【００２８】
ステップ２９にて、乾燥行程が一連の逐次動作中で行われており、洗浄、すすぎの後である場合、洗浄槽１内の温度は上がっており、運転後の温度上昇度合いが少ないので、ステップ２７と同様に、サーミスタ８による洗浄槽１内の温度の変化量が一定値未満であるかの検知をせず、ステップ２８にて通常の運転をする。
【００２９】
ステップ３０にて、ｔｈ１によって乾燥行程開始時と開始後所定時間経過時の温度変化量との比較値ｄＴＨを設定する。ＴＨ２≦ｔｈ１＜ＴＨ１のときはｄＴＨ１、ＴＨ３≦ｔｈ１＜ＴＨ２のときはｄＴＨ２、・・・・ＴＨｎ＋１≦ｔｈｎ＜ＴＨｎのときはｄＴＨｎをそれぞれｄＴＨとする。
【００３０】
ステップ３１に進み、そのときのサーミスタ８の温度ｔｈ２を読みとり、ｔｈ２−ｔｈ１≦ｄＴＨ、すなわち、乾燥行程開始時から開始後所定時間経過までの変化量がｔｈ１によって決定される値より少なかったら、ステップ３２にて、サーミスタ８が取り付け位置より外れていると検知する。少なくなかったら、ステップ２８にて、通常の運転をする。
【００３１】
サーミスタ８が外れていると検知されると、ステップ３３にて不揮発性記憶手段２２に、サーミスタ８外れの異常が起こったことを書き込む。ステップ３４にて、オンしていたヒータ７をある一定時間オンしてある一定時間オフする間欠運転に変更する。また、ステップ３５にて、既に設定されている運転時間にある一定時間ｄＴを加えて、運転時間をＴ＋ｄＴに延長する。ステップ３６にて、第２の所定時間が経過すると、ステップ３７にて送風ファン１０を強制的にオンする。ステップ３８にて、Ｔ＋ｄＴ時間経過して、ステップ３９にて、乾燥行程を終了する。
【００３２】
また、ステップ２８にて、通常の運転を行った場合、ヒータ７はオンし続ける。ステップ４０にて、ｔｈ１がある一定値ＴＨ２（たとえば５３℃）まで上がると、洗浄槽１内に蒸気が上がっていると判断し、ステップ４１にて、送風ファン１０をオンする。ステップ４２にてＴ時間経過すると、ステップ３９にて乾燥行程を終了する。
【００３３】
ここで、ステップ３１にて、サーミスタ外れ異常を検知していると、ｔｈ１が一定値ＴＨ２まで上がらないので、ステップ３６、３７にて、一定時間経過すると、送風ファン１０を強制的にオンするようにしている。
【００３４】
乾燥行程を終了すると、ステップ４３にて、送風ファン１０のみを運転させる空冷行程を行う。空冷行程後、運転終了時にステップ４４にて、サーミスタ外れ異常検知していたならば、ステップ４５にて、表示手段１９、報知手段２０を用いてサーミスタ外れ異常を報知する。ステップ４４にて、異常検知せず通常の運転を行っていた場合は、ステップ４６にて通常終了する。
【００３５】
ここで、送風ファン１０をオンする第２の所定時間は、第１の所定時間以上であればよく、ヒータ７を間欠運転に変更して洗浄槽１の温度がある程度まで上がったと予測される時点であるが、間欠運転の時限によって洗浄槽１の温度が上がらなければ、乾燥行程終了時までオンしなくてもよい。
【００３６】
このように本実施例によれば、乾燥行程でサーミスタ８が外れているか検知することができ、洗浄槽１内の食器類２の温度が上がりすぎることを防ぎながら、食器類２を乾燥させることができる。
【００３７】
また、サーミスタ８が外れている場合、異常報知することによって、サーミスタ８を取り付け位置に戻すことを促し、きめ細かい制御をすることができるようになる。
【００３８】
また、乾燥行程が一連の逐次動作中で行われており、洗浄、すすぎの後である場合、乾燥行程開始時の温度が高い場合は、検知しないことから誤検知を防止することができる。
【００３９】
また、サーミスタ外れ異常を記憶することで、特殊デモの最近の異常履歴を表示するモードの中でサーミスタ外れ異常が起こったかどうか確認することができる。
【００４０】
（実施例２）
図１における制御手段１７は、乾燥行程開始時と開始後所定時間経過時におけるサーミスタ８による洗浄槽１内の温度の変化量が一定値未満である場合、動作を停止して即座に報知手段２０あるいは前記表示手段１９にて異常を報知するようにしている。他の構成は上記実施例１と同じである。
【００４１】
上記構成において図６を参照しながら動作を説明する。なお、ステップ２３にて、乾燥行程を開始し、ステップ３３にて、サーミスタ外れ異常を記憶するまでの動作は、上記実施例１の動作と同じであるので説明を省略する。
【００４２】
ステップ３２でサーミスタ外れ異常を検知すると、ステップ４７にて、即全負荷をオフ、この場合ヒータ７のみをオフし、ステップ４８にて、表示手段１９、報知手段２０を用いてサーミスタ外れ異常を報知する。
【００４３】
このように本実施例によれば、乾燥行程でサーミスタ８が外れているか検知でき、サーミスタ８が外れている場合、異常報知することによって、サーミスタ８を取り付け位置に戻すことを促し、きめ細かい制御をすることができるようになる。
【００４４】
（実施例３）
図１における制御手段１７は、入力手段１６の電源スイッチ１６ａが押されたとき、スタートスイッチ１６ｂとコーススイッチ１６ｃが押され、特殊デモを指示された場合は、乾燥行程開始時と開始後所定時間経過時におけるサーミスタ８による洗浄槽１内の温度の変化量が一定値未満である場合、即座に報知手段２０あるいは表示手段１９にて異常を報知するようにしている。他の構成は上記実施例１と同じである。
【００４５】
上記構成において図７を参照しながら動作を説明する。ステップ４９にて、電源スイッチ１６ａが押されたとき、ステップ５０にて、コーススイッチ１６ｃとスタートスイッチ１６ｂが押されていると、ステップ５１にて、特殊デモ運転であると判定し設定する。そして、ステップ２３にて、乾燥行程を開始し、ステップ３２にて、サーミスタ外れ異常を検知するところまでは、上記実施例１と同様の動作を行う。
【００４６】
ステップ３２にて、サーミスタ外れ異常を検知すると、ステップ５２にて、特殊デモでの運転か判定し、特殊デモであった場合、ステップ５３にて、即全負荷をオフ、この場合ヒータ７のみをオフし、ステップ４８にて、表示手段１９、報知手段２０を用いてサーミスタ外れ異常を報知する。ステップ５２にて、特殊デモでない場合、ステップ３３以下の上記実施例１と同様のサーミスタ外れ異常を検知した場合の運転を行う。
【００４７】
このように本実施例によれば、通常運転の時は、洗浄槽１内の食器類の温度が上がりすぎることを防ぎながら食器類を乾燥させ、その後異常報知する一方で、特殊デモの乾燥行程動作中は、工場でのチェックまたはサービスマンのチェック中であるので、必ず上記のように、ステップ３２にて、サーミスタ８が取り付け位置より外れていると検知したと同時にサーミスタ外れ異常を報知することができる。
【００４８】
【発明の効果】
以上のように本発明の請求項１記載の発明によれば、食器類を収納する洗浄槽と、前記食器類を乾燥する加熱手段と、前記洗浄槽内の温度を検知する温度検知手段と、前記食類類の洗浄、すすぎ、乾燥行程の一連の逐次動作を制御する制御手段とを備え、前記制御手段は、乾燥行程開始後において、前記温度検知手段による乾燥行程開始時の温度が所定値未満であり、かつ、その乾燥行程が、洗浄、すすぎ、乾燥行程の一連の逐次動作中の乾燥行程であるか否かの第１の判定を行い、その第１の判定結果が前記一連の逐次動作中の乾燥行程ではない場合は、さらに、乾燥行程開始時と開始後所定時間経過時における前記温度検知手段による洗浄槽内の温度の変化量がある一定値に達するか否かの第２の判定を行い、その第２の判定結果が、乾燥行程開始時と開始後所定時間経過時における前記温度検知手段による洗浄槽内の温度の変化量が前記ある一定値未満である場合、前記温度検知手段の異常と判断して前記加熱手段の発熱量を減らすようにし、前記温度検知手段による乾燥行程開始時の温度が前記所定値以上であるか、または、前記第１の判定結果が前記一連の逐次動作中の乾燥行程である場合には、前記第２の判定を行わずに通常の乾燥運転を行うようにしたから、温度検知手段が取り付け位置より外れている場合でも、食器類の温度を上げずに乾燥することができるとともに、乾燥行程開始時から温度が高い場合にも、数分たっても温度の変化量が少ないとして、サーミスタが外れていると誤検知しないようにすることができる。
【００４９】
また、請求項２に記載の発明によれば、制御手段は、第２の判定結果が乾燥行程開始時と開始後所定時間経過時における温度検知手段による洗浄槽内の温度の変化量がある一定値未満である場合、乾燥時間を延長するようにしたから、加熱手段の発熱量を通常より減らした場合でも、完全に乾かすことができる。
【００５０】
また、請求項３に記載の発明によれば、ブザーなどの音を発する報知手段と、発光ダイオード等を有する表示手段を備え、制御手段は、第２の判定結果が乾燥行程開始時と開始後所定時間経過時における温度検知手段による洗浄槽内の温度の変化量が一定値未満である場合、乾燥行程終了後、前記報知手段あるいは前記表示手段にて異常を報知するようにしたから、食器類を乾かした後、異常報知により温度検知手段が外れていることを知らせることができる。
【００５１】
また、請求項４に記載の発明によれば、入力操作する入力手段を備え、制御手段は、前記入力手段により特殊デモを指示された場合は、第２の判定結果が乾燥行程開始時と開始後所定時間経過時における温度検知手段による洗浄槽内の温度の変化量が一定値未満である場合、即座に報知手段あるいは表示手段にて異常を報知するようにしたから、工場または市場で温度検知手段が取り付け位置にあるかどうかをすぐにチェックすることができる。
【００５２】
また、請求項５に記載の発明によれば、洗浄槽内の蒸気を送り出す送風手段を備え、制御手段は、乾燥行程にて温度検知手段による洗浄槽内の温度がある一定値以上になった時に送風手段にて蒸気を送り出し始め、第２の判定結果が乾燥行程開始時と開始後所定時間経過時における前記温度検知手段による洗浄槽内の温度の変化量が一定値未満である場合は、第２の所定時間経過時に強制的に蒸気を送り出し始めるようにしたから、温度検知手段が取り付け位置より外れている場合でも、蒸気を逃がして完全に乾かすことができる。
【００５３】
また、請求項６に記載の発明によれば、食器類を収納する洗浄槽と、前記食器類を乾燥する加熱手段と、前記洗浄槽内の温度を検知する温度検知手段と、前記食類類の洗浄、すすぎ、乾燥行程の一連の逐次動作を制御する制御手段と、ブザーなどの音を発する報知手段と、発光ダイオード等を有する表示手段とを備え、前記制御手段は、乾燥行程開始後において、前記温度検知手段による乾燥行程開始時の温度が所定値未満であり、かつ、その乾燥行程が、洗浄、すすぎ、乾燥行程の一連の逐次動作中の乾燥行程であるか否かの第１の判定を行い、その第１の判定結果が前記一連の逐次動作中の乾燥行程ではない場合は、さらに、乾燥行程開始時と開始後所定時間経過時における前記温度検知手段による洗浄槽内の温度の変化量がある一定値に達するか否かの第２の判定を行い、その第２の判定結果が乾燥行程開始時と開始後所定時間経過時における前記温度検知手段による洗浄槽内の温度の変化量が前記ある一定値未満である場合、前記温度検知手段の異常と判断して動作を停止して即座に前記報知手段あるいは前記表示手段にて異常を報知するようにし、前記温度検知手段による乾燥行程開始時の温度が前記所定値以上であるか、または、前記第１の判定結果が前記一連の逐次動作中の乾燥行程である場合には、前記第２の判定を行わずに通常の乾燥運転を行うようにしたから、温度検知手段が外れていることを知らすことができるとともに、乾燥行程開始時から温度が高い場合にも、数分たっても温度の変化量が少ないとして、サーミスタが外れていると誤検知しないようにすることができる。
【００５４】
また、請求項７に記載の発明によれば、記憶手段を備え、制御手段は、第２の判定結果が乾燥行程開始時と開始後所定時間経過時における温度検知手段による洗浄槽内の温度の変化量が一定値未満である場合、異常が起こったことを前記記憶手段に記憶させ、特殊デモを指示された場合に異常の履歴としてこれを報知するようにしたから、市場でいかなる異常が起こったか確認することができる。
【００５５】
また、請求項８に記載の発明によれば、制御手段は、温度検知手段による乾燥行程開始時の温度によって、乾燥行程開始時と開始後所定時間経過時の温度変化量との比較値を複数段階に設定するようにしたから、制御手段の温度読みとり値の変化量と実際の気温変化量の関係をリニアに近づけることができ、運転開始時の温度に関わらず、実際の気温変化量の比較値をほぼ一定に設定することができる。
【図面の簡単な説明】
【図１】  本発明の第１の実施例の食器洗い機のブロック図
【図２】  同食器洗い機の断面図
【図３】  同食器洗い機のサーミスタ状態を示す図
【図４】  同食器洗い機の操作表示部の拡大正面図
【図５】  同食器洗い機の動作フローチャート
【図６】  本発明の第２の実施例の食器洗い機の動作フローチャート
【図７】  本発明の第３の実施例の食器洗い機の動作フローチャート
【符号の説明】
１  洗浄槽
２  食器類
７  ヒータ（加熱手段）
８  サーミスタ（温度検知手段）
１７  制御手段
【図１】
0004029455.tif 000002
【図２】
0004029455.tif 000003
【図３】
0004029455.tif 000004
【図４】
0004029455.tif 000005
【図５】
0004029455.tif 000006
【図６】
0004029455.tif 000007
【図７】
0004029455.tif 000008